(57)【要約】【課題】  無記録部等のように絶対番地が得られないテープや、或いは絶対番地が不連続となる部分を有するテープにおいてもエンドサーチを確実に完了できるようにする。【解決手段】  高速サーチでエンドサーチを実行してサーチポイントを検出すると、テープ給送を停止しサーチを終了するとともに、サーチポイントを検出してからテープが停止するまでに経過した行き過ぎ量を計測し、前記計測された行き過ぎ量分だけテープを低速で巻き戻し、サーチポイントへの追い込みを行うことで、無記録エリアが存在してもその影響を受けないようにする。【選択図】  図１
2006040350.tif 000002
【特許請求の範囲】
【請求項１】
記録媒体である記録テープに情報信号とともに絶対番地を記録する記録手段と、
前記記録テープに記録された絶対番地を目標位置として、高速または低速でエンドサーチを実行する目標位置サーチ手段と、
前記目標位置サーチ手段が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ手段によるエンドサーチを低速で再度実行するように制御するサーチ制御手段とを有することを特徴とする記録再生装置。
【請求項２】
記録媒体である記録テープに情報信号とともに絶対番地を記録する記録手段と、
前記記録テープより絶対番地を再生する再生手段と、
記録終了位置の絶対番地を記憶する絶対番地記憶手段と、
前記絶対番地記憶手段にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ手段と、
前記目標位置サーチ手段によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ手段の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し手段と、
前記再生手段により絶対番地が再生されるまで前記記録テープの巻き戻しを実行する第２の巻き戻し手段と、
前記第１の巻き戻し手段または第２の巻き戻し手段のうち、少なくともいずれか一方の巻き戻し手段による記録テープ巻き戻しを実行した後で、前記目標位置サーチ手段によるエンドサーチを低速で再度実行するように制御するサーチ制御手段とを有することを特徴とする記録再生装置。
【請求項３】
前記第１の巻き戻し手段にて実行される、前記行き過ぎ量と前記巻き戻し量との差が所定の範囲内に収まるようにする記録テープの巻き戻しは、前記記録テープを給送するキャプスタンモータの回転に応じて発生するキャプスタンＦＧの計測にて実行されることを特徴とした請求項２に記載の記録再生装置。
【請求項４】
記録テープに記録された絶対番地を目標位置として、高速または低速でエンドサーチを実行する目標位置サーチ手段と、
前記目標位置サーチ手段が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ手段によるエンドサーチを低速で再度実行するように制御するサーチ制御手段とを有することを特徴とする再生装置。
【請求項５】
記録媒体である記録テープより絶対番地を再生する再生手段と、
任意の絶対番地を選択するための絶対番地選択手段と、
前記絶対番地選択手段にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ手段と、
前記目標位置サーチ手段によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し手段と、前記再生手段により絶対番地が再生されるまで前記記録テープの巻き戻しを実行する第２の巻き戻し手段と、
前記第１の巻き戻し手段または第２の巻き戻し手段のうち、少なくともいずれか一方の巻き戻し手段による記録テープ巻き戻しを実行した後で、前記目標位置サーチ手段によるエンドサーチを低速で再度実行するように制御するサーチ制御手段とを有することを特徴とする再生装置。
【請求項６】
前記絶対番地選択手段は、前記記録テープに絶対番地とともに記録された画像情報を選択することで、任意の絶対番地を特定することを特徴とする請求項５に記載の再生装置。
【請求項７】
前記第１の巻き戻し手段にて実行される行き過ぎ量と巻き戻し量の計測とは、前記記録テープを給送するキャプスタンモータの回転に応じて発生するキャプスタンＦＧの計測にて実行されることを特徴とした請求項５に記載の再生装置。
【請求項８】
記録媒体である記録テープに情報信号とともに絶対番地を記録する記録工程と、
前記記録テープに記録された絶対番地を目標位置として、高速または低速でエンドサーチを実行する目標位置サーチ工程と、
前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有することを特徴とする記録再生方法。
【請求項９】
記録媒体である記録テープに情報信号とともに絶対番地を記録する記録工程と、
前記記録テープより絶対番地を再生する再生工程と、
記録終了位置の絶対番地を記憶する絶対番地記憶工程と、
前記絶対番地記憶工程にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ工程と、
前記目標位置サーチ工程によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ工程の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、
前記再生工程により絶対番地が再生されるまで前記記録テープの巻き戻しを実行する第２の巻き戻し工程と、
前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有することを特徴とする記録再生方法。
【請求項１０】
記録テープに記録された絶対番地を目標位置として、高速または低速でエンドサーチを実行する目標位置サーチ工程と、
前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有することを特徴とする再生方法。
【請求項１１】
記録媒体である記録テープより絶対番地を再生する再生工程と、
任意の絶対番地を選択するための絶対番地選択工程と、
前記絶対番地選択工程にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ工程と、
前記目標位置サーチ工程によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、
前記再生工程により絶対番地が再生されるまで前記記録テープの巻き戻しを実行する第２の巻き戻し工程と、
前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有することを特徴とする再生方法。
【請求項１２】
記録媒体である記録テープに情報信号とともに絶対番地を記録する記録工程と、
前記記録テープに記録された絶対番地を目標位置として、高速または低速でエンドサーチを実行する目標位置サーチ工程と、
前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有する記録再生方法をコンピュータに実行させることを特徴とするコンピュータプログラム。
【請求項１３】
記録媒体である記録テープに情報信号とともに絶対番地を記録する記録工程と、
前記記録テープより絶対番地を再生する再生工程と、
記録終了位置の絶対番地を記憶する絶対番地記憶工程と、
前記絶対番地記憶工程にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ工程と、
前記目標位置サーチ工程によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ工程の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、
前記再生工程により絶対番地が再生されるまで前記記録テープの巻き戻しを実行する第２の巻き戻し工程と、
前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有する記録再生方法をコンピュータに実行させることを特徴とするコンピュータプログラム。
【請求項１４】
記録テープに記録された絶対番地を目標位置として、高速または低速でエンドサーチを実行する目標位置サーチ工程と、
前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有する再生方法をコンピュータに実行させることを特徴とするコンピュータプログラム。
【請求項１５】
記録媒体である記録テープより絶対番地を再生する再生工程と、
任意の絶対番地を選択するための絶対番地選択工程と、
前記絶対番地選択工程にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ工程と、
前記目標位置サーチ工程によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、
前記再生工程により絶対番地が再生されるまで前記記録テープの巻き戻しを実行する第２の巻き戻し工程と、
前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有する再生方法をコンピュータに実行させることを特徴とするコンピュータプログラム。
【請求項１６】
前記請求項１２〜１５の何れか１項に記載のコンピュータプログラムを記録したことを特徴とするコンピュータ読み取り可能な記録媒体。
【発明の詳細な説明】
【技術分野】
【０００１】
本発明は記録再生装置及び再生装置に関し、例えば、記録終了位置のアブソリュートトラックＮｏを参照し、記録終了位置のサーチを実行するエンドサーチ機能に関し、無記録部等のように絶対番地（ＡＴＮ）が得られない場合や、或いは不連続となる部分を有するテープにおいても、エンドサーチを確実に完了するために用いて好適な技術に関する。
【背景技術】
【０００２】
従来、デジタルビデオテープの記録フォーマットであるＳＤ（Super Density）フォーマットでは、テープ上に形成された記録トラックには、トラックの絶対番号、すなわち、アブソリュートトラックＮｏ（以降、ＡＴＮとする）が各々割り当てられている。
【０００３】
このような記録フォーマットが採用されているテープにおいては、記録の終了位置を検索する方式として、記録終了位置でのＡＴＮを「サーチポイント」として記憶しておき、サーチ実行時にはこの「サーチポイント」と、現在のテープ位置にて得られる「ＡＴＮ」とが一致するようにサーチを実行するエンドサーチ方式が提案されている（例えば、特許文献１参照）。
【０００４】
図２（ａ）に、テープのトラック記録状態を示し、図２（ｂ）に同テープ位置より得られるＡＴＮを示す。ここで、ＡＴＮはトラックが形成されている記録エリアではトラックより再生される。一方、トラックが形成されていない無記録部では、巻き取りリールの回転周期から巻き取りリールに巻かれるテープ長を予測し、更にテープ長からＡＴＮは予測される。但し、リールの回転周期から予測するＡＴＮはばらつきが大きいため、ここでは本来あるべき値よりも大きめの値を予測値として出力し、テープ正送り方向に対しＡＴＮが後戻りしないようにしている。
【０００５】
図４は、従来のエンドサーチ方式を実現するための再生装置の要部を示すブロック図である。
図４において、４１は図示しないテープをトレースし、テープ上に記録トラックを形成、或いはテープ上に形成されたトラックの情報を再生するヘッドアンプ部である。４２はヘッドアンプ部１の記録ないし再生動作を制御する記録／再生制御部、４３は再生されたトラック情報の中からＡＴＮデータを抽出するＡＴＮ検出部である。
【０００６】
４４は記録／再生制御部４２より送られる記録／再生情報を検出し、記録終了直後に再生されたＡＴＮをエンドサーチのサーチポイントとして記憶するサーチポイント記憶部であり、４５はテープを巻き取る巻き取りリールの回転に応じて発生するパルス信号を検出するリールＦＧ検出部である。４６はリールＦＧ検出部４５にて検出されたリールＦＧの発生タイミングからリール回転周期を計測して、ＡＴＮ予測値を出力するＡＴＮ予測部である。
【０００７】
４７は第１のサーチ制御部であり、ＡＴＮ検出部４３で検出されたＡＴＮあるいは、ＡＴＮ検出部４３でＡＴＮが検出されない場合にはＡＴＮ予測部４６より出力されるＡＴＮ予測値をＡＴＮデータとして選択的に取り込み、取り込まれたＡＴＮと４４で記憶されたサーチポイントの比較に応じて、テープ給送情報を出力する。
【０００８】
４８はテープを給送するキャプスタンモータ、４９はキャプスタンモータの回転に応じて発生するパルス信号を検出するキャプスタンＦＧ検出部、４１０は第１のサーチ制御部４７より出力されるテープ給送情報とキャプスタンＦＧ検出部４９より出力されるキャプスタンＦＧの周期を計測しながら、第１のサーチ制御部４７より出力されるテープ給送情報に応じてキャプスタンモータ４８の回転制御を行うキャプスタン制御部である。
【０００９】
次に、図２（ｂ）に示すようなＡＴＮ情報が得られるテープでエンドサーチを実行した場合における第１のサーチ制御部４７の動作を、図３のフローチャート、及び図２（ｃ）のエンドサーチシーケンスを用いて説明する。
【００１０】
まず、テープ位置が第１のポイント（１）にある場合に、ステップＳ３１にてサーチポイントが再生ＡＴＮよりも大きいと判定され、正方向サーチを実行するステップＳ３２に進む。
【００１１】
ステップＳ３２では、サーチポイントが現在得られるＡＴＮよりも１８００以上大きい判定され、ステップＳ３３にて正９倍速でサーチを実行する（２−ｃ−１）。その後もステップＳ３１、ステップＳ３２、ステップＳ３３の処理が繰り返し行われる。
【００１２】
一方、ステップＳ３２にて１８００未満が判定されると、ステップＳ３４に進む。ステップＳ３４ではサーチポイントが現在得られるＡＴＮよりも３００以上であると判定されステップＳ３５に進み、正３倍速でサーチを実行する（２−ｃ−２）。その後もステップＳ３１、ステップＳ３２、ステップＳ３４、ステップＳ３５の処理が繰り返し行われる。
【００１３】
やがて、サーチポイントに接近し、ステップＳ３４にて３００未満と判定されると、ステップＳ３６に進みテープ給送を停止、更にステップＳ３７にてテープが完全に静止したか否かを判定する。この判定の結果、テープが停止していない場合にはステップＳ３８に進む。
【００１４】
ステップＳ３８に進むと、サーチポイントが現在得られるＡＴＮと一致していないと判定し、ステップＳ３９に進んで１フレーム分だけ正コマ送りを実行（２−ｃ−３）する。その後もステップＳ３１、ステップＳ３２、ステップＳ３４、ステップＳ３６、ステップＳ３７、ステップＳ３８、ステップＳ３９の処理が繰り返される。そして、ステップＳ３８にてサーチポイントが現在得られるＡＴＮと一致していると判定されると、ここでエンドサーチが完了する（２−ｃ−４）。
【００１５】
次に、テープ位置が無記録エリアである第２のポイント（２）にある場合に関して説明を行う。
まず、ステップＳ３１にてサーチポイントが再生ＡＴＮよりも小さいと判定され、逆方向サーチを実行するステップＳ３１２に進む。ステップＳ３１２ではサーチポイントが現在得られるＡＴＮよりも１８００以上小さい判定され、ステップＳ３１３にて逆９倍速でサーチを実行（２−ｃ−５）、その後もステップＳ３１、ステップＳ３１２、ステップＳ３１３の処理が繰り返し行われる。
【００１６】
ここで、無記録部と記録部のＡＴＮが連続的につながって得られる場合は、ステップＳ３１２にて１８００未満が判定されると、ステップＳ３１４に進み、ここで３００以上であると判定されステップＳ３１５にて逆３倍速でサーチを実行、次いでステップＳ３１４にて３００未満と判定されると、ステップＳ３１６にてテープ給送を停止、更にステップＳ３１７にてテープが完全に静止するのを待った後、ステップＳ３１８でサーチポイントが現在得られるＡＴＮとの一致が検出されるまでステップＳ３１９にて１フレーム逆コマ送りを実行する。
【００１７】
しかし、無記録エリアで得られるＡＴＮは予測値であり、その値は図２（ｂ）の破線の範囲で表す様にばらつき範囲を持っているので、記録エリアと無記録エリアの境界位置では、ＡＴＮは非連続となる可能性が大きい。
【００１８】
記録部と無記録部でＡＴＮに大きな非連続部が発生する場合は、逆９倍速のまま記録エリアに突入し、サーチポイントに到達するため、ステップＳ３１、ステップＳ３１２、ステップＳ３１４を経て、ステップＳ３１６にてテープ給送を停止する。しかし高速給送中からの停止のため、サーチポイントを大きくオーバーランして停止することになる。
【００１９】
次いで、ステップＳ３１７にてテープが完全に静止するのを待った後、ステップＳ３１８ではサーチポイントが現在得られるＡＴＮと一致していないと判定され、ステップＳ３１９にて１フレームだけ逆コマ送りを実行しステップＳ３１に戻る（２−ｃ−６）。
【００２０】
ステップＳ３１では、サーチポイントからオーバーランして止まっているため、サーチポイントが再生ＡＴＮよりも大きいと判定されることになり、ここでエンドサーチが逆方向サーチから、正方向サーチに切り替わることになる。
【００２１】
以降は、テープ位置が第１のポイント（１）からのエンドサーチで説明した処理と同様の処理を経て、エンドサーチが完了することになる。
【００２２】
【特許文献１】特開平８−５０７７９号公報
【発明の開示】
【発明が解決しようとする課題】
【００２３】
しかしながら、前記背景技術で説明したように、従来のエンドサーチ方式では、無記録エリアを経由してサーチが実行され、且つ無記録エリアと記録エリアとの境界部でのＡＴＮに非連続性があった場合には、図２中（２−ｃ−５）、（２−ｃ−６）で示したようにサーチポイントをオーバーランしてしまう。
【００２４】
更に、図５（ａ）のような無記録エリアに挟まれた短い記録エリアを持つ記録パターンになった場合には、図５（ｂ）に示すようにＡＴＮの非連続ポイントが記録開始位置及び記録終了位置の２箇所で発生する可能性が発生する。
【００２５】
このような記録テープでエンドサーチを実行した場合、（１）無記録エリアである第２のポイント（２）から逆方向サーチを開始（５−ｃ−１）、（２）逆９倍速で記録エリアに突入しテープ給送を停止、オーバーランして無記録エリアで静止（５−ｃ−２）、（３）大きめの値として得られたＡＴＮによって、誤って無記録エリアのポイントに向かってサーチが開始される（５−ｃ−３）。（４）無記録部分でサーチが完了してしまうか、あるいはＡＴＮ予測値がサーチ中に常にばらつく場合には、低速サーチ（正／逆３倍速）での追い込みが完了しない（５−ｃ−４、５−ｃ−５）。といったシーケンスにはまるため、エンドサーチが完了しない状態に陥ってしまうという問題があった。
【００２６】
本発明は前述の問題点にかんがみ、無記録部等のように絶対番地が得られないテープや、或いは絶対番地が不連続となる部分を有するテープにおいてもエンドサーチを確実に完了できるようにすることを目的としている。
【課題を解決するための手段】
【００２７】
本発明の記録再生装置は、記録媒体である記録テープに情報信号とともに絶対番地を記録する記録手段と、前記記録テープに記録された絶対番地を目標位置として、高速または低速でエンドサーチを実行する目標位置サーチ手段と、前記目標位置サーチ手段が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ手段によるエンドサーチを低速で再度実行するように制御するサーチ制御手段とを有することを特徴としている。
また、本発明の記録再生装置の他の特徴とするところは、記録媒体である記録テープに情報信号とともに絶対番地を記録する記録手段と、前記記録テープより絶対番地を再生する再生手段と、記録終了位置の絶対番地を記憶する絶対番地記憶手段と、前記絶対番地記憶手段にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ手段と、前記目標位置サーチ手段によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ手段の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し手段と、前記再生手段により絶対番地が再生されるまで前記記録テープの巻き戻しを実行する第２の巻き戻し手段と、前記第１の巻き戻し手段または第２の巻き戻し手段のうち、少なくともいずれか一方の巻き戻し手段による記録テープ巻き戻しを実行した後で、前記目標位置サーチ手段によるエンドサーチを低速で再度実行するように制御するサーチ制御手段とを有することを特徴としている。
【００２８】
本発明の再生装置は、記録テープに記録された絶対番地を目標位置として、高速または低速でエンドサーチを実行する目標位置サーチ手段と、前記目標位置サーチ手段が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ手段によるエンドサーチを低速で再度実行するように制御するサーチ制御手段とを有することを特徴としている。
また、本発明の再生装置の他の特徴とするところは、記録媒体である記録テープより絶対番地を再生する再生手段と、任意の絶対番地を選択するための絶対番地選択手段と、前記絶対番地選択手段にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ手段と、前記目標位置サーチ手段によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し手段と、前記再生手段により絶対番地が再生されるまで前記記録テープの巻き戻しを実行する第２の巻き戻し手段と、前記第１の巻き戻し手段または第２の巻き戻し手段のうち、少なくともいずれか一方の巻き戻し手段による記録テープ巻き戻しを実行した後で、前記目標位置サーチ手段によるエンドサーチを低速で再度実行するように制御するサーチ制御手段とを有することを特徴としている。
【００２９】
本発明の記録再生方法は、記録媒体である記録テープに情報信号とともに絶対番地を記録する記録工程と、前記記録テープに記録された絶対番地を目標位置として、高速または低速でエンドサーチを実行する目標位置サーチ工程と、前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有することを特徴としている。
また、本発明の記録再生方法の他の特徴とするところは、記録媒体である記録テープに情報信号とともに絶対番地を記録する記録工程と、前記記録テープより絶対番地を再生する再生工程と、記録終了位置の絶対番地を記憶する絶対番地記憶工程と、前記絶対番地記憶工程にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ工程と、前記目標位置サーチ工程によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ工程の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、前記再生工程により絶対番地が再生されるまで前記記録テープの巻き戻しを実行する第２の巻き戻し工程と、前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有することを特徴としている。
【００３０】
本発明の再生方法は、記録テープに記録された絶対番地を目標位置として、高速または低速でエンドサーチを実行する目標位置サーチ工程と、前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有することを特徴としている。
また、本発明の再生方法の他の特徴とするところは、記録媒体である記録テープより絶対番地を再生する再生工程と、任意の絶対番地を選択するための絶対番地選択工程と、前記絶対番地選択工程にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ工程と、前記目標位置サーチ工程によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、前記再生工程により絶対番地が再生されるまで前記記録テープの巻き戻しを実行する第２の巻き戻し工程と、前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有することを特徴としている。
【００３１】
本発明のコンピュータプログラムは、記録媒体である記録テープに情報信号とともに絶対番地を記録する記録工程と、前記記録テープに記録された絶対番地を目標位置として、高速または低速でエンドサーチを実行する目標位置サーチ工程と、前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有する記録再生方法をコンピュータに実行させることを特徴としている。
また、本発明のコンピュータプログラムの他の特徴とするところは、記録媒体である記録テープに情報信号とともに絶対番地を記録する記録工程と、前記記録テープより絶対番地を再生する再生工程と、記録終了位置の絶対番地を記憶する絶対番地記憶工程と、前記絶対番地記憶工程にて記憶された絶対番地を目標位置として、高速または低速でエンドサーチを実行し、低速でエンドサーチ中にて目標位置を検出した場合にはテープ給送を停止してエンドサーチを完了し、高速でエンドサーチ中に目標位置を検出した場合にはテープ給送を停止してエンドサーチを中断する目標位置サーチ工程と、前記目標位置サーチ工程によるエンドサーチが中断されると、前記目標位置を検出してから前記記録テープが静止状態に至るまでに経過した行き過ぎ量と、前記記録テープが静止状態に至った後、前記記録テープの給送方向を前記目標位置サーチ工程の中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、前記再生工程により絶対番地が再生されるまで前記記録テープの巻き戻しを実行する第２の巻き戻し工程と、前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有する記録再生方法をコンピュータに実行させることを特徴としている。
また、本発明のコンピュータプログラムのその他の特徴とするところは、記録テープに記録された絶対番地を目標位置として、高速または低速でエンドサーチを実行する目標位置サーチ工程と、前記目標位置サーチ工程が高速サーチ中に前記目標位置を検出した場合にはテープ給送を停止してエンドサーチを中断させるとともに、前記目標位置から行き過ぎ量分だけ低速で巻き戻しを実行し、その後、前記目標位置サーチ工程によるエンドサーチを低速で再度実行するように制御するサーチ制御工程とを有する再生方法をコンピュータに実行させることを特徴としている。
また、本発明のコンピュータプログラムのその他の特徴とするところは、記録媒体である記録テープより絶対番地を再生する再生工程と、任意の絶対番地を選択するための絶対番地選択工程と、前記絶対番地選択工程にて選択された絶対番地を目標位置として高速または低速でエンドサーチを実行し、低速でエンドサーチ中にて目標位置を検出した場合にはテープ給送を停止してエンドサーチを完了、高速でエンドサーチ中にて目標位置を検出した場合にはテープ給送を停止してエンドサーチを中断する目標位置サーチ工程と、前記目標位置サーチ工程によるエンドサーチが中断されると、目標位置を検出してから前記記録テープが静止状態に至るまでに経過した行き過ぎ量と、前記記録テープが静止状態に至った後、前記記録テープの給送方向を、中断前のエンドサーチ方向から反転させて巻き戻しを実行したときの巻き戻し量とを計測し、前記行き過ぎ量と前記巻き戻し量との差が所定の範囲内に収まるまで巻き戻しを実行する第１の巻き戻し工程と、前記再生工程により絶対番地が再生されるまで前記記録テープの巻き戻しを実行する第２の巻き戻し工程と、前記第１の巻き戻し工程または第２の巻き戻し工程のうち、少なくともいずれか一方の巻き戻し工程による記録テープ巻き戻しを実行した後で、前記目標位置サーチ工程によるエンドサーチを低速で再度実行するように制御するサーチ制御工程とを有する再生方法をコンピュータに実行させることを特徴としている。
【００３２】
本発明の記録媒体は、前記の何れかに記載のコンピュータプログラムを記録したことを特徴としている。
【発明の効果】
【００３３】
本発明によれば、記録終了部の絶対番地をサーチポイントとして高速または低速でサーチを実行するエンドサーチ方式に関して、高速サーチ中にサーチポイントを検出した場合には、テープ給送を停止してエンドサーチを中断するとともに、行き過ぎ量分だけ低速で巻き戻しを実行し、その後、エンドサーチを低速サーチで再度実行するようにしたので、正確な絶対番地が得られない無記録部が混在しても、記録終了部を高精度に検索することができる。
【００３４】
また、本発明の他の特徴によれば、高速サーチ中にサーチポイントを検出した場合、テープ給送を停止してサーチを中断、そして行き過ぎ量分だけ低速で巻き戻しを実行した後、再度エンドサーチを低速サーチで実行するようにしたので、正確な絶対番地が得られない無記録部が混在しても、記録終了部を高精度に検索することができ、カットインポイントの絶対番地をサーチポイントとして高速または低速でサーチを実行するカットイン／カットアウト編集方式に関して、カットイン／カットアウト編集を精度良く行うことができる。
【発明を実施するための最良の形態】
【００３５】
（第１の実施の形態）
図１は、本発明の第１の実施の形態を実現するための再生装置の要部を示すブロック図であり、従来のエンドサーチ（Ｅｎｄサーチ）方式の要部を示すブロック図に対し、第１のサーチ制御部４７に変わって、本発明を実現する第２のサーチ制御部１７が配設されている。
【００３６】
ここで、図６（ａ）のような無記録エリアに挟まれた短い記録エリアを持つ記録パターンにて、図６（ｂ）に示すようなＡＴＮの非連続ポイントが記録開始位置及び記録終了位置の２箇所で発生するテープでエンドサーチを実行した場合の第２のサーチ制御部１７の動作を図７のフローチャート、及び図６（ｃ）の動作遷移図を用いて説明する。
【００３７】
まず、テープ位置が第１のポイント（１）にある場合、ステップＳ７００１にてサーチポイントが再生ＡＴＮよりも大きいと判定され、正方向サーチを実行するステップＳ７００２に進む。
【００３８】
ステップＳ７００２では、サーチポイントが現在得られるＡＴＮよりも３００以上大きい判定され、ステップＳ７００３にて正９倍速でサーチを実行、ステップＳ７００４にてＡＴＮとサーチポイントの一致が判定されるまで、ステップＳ７００４が繰り返し実行される（６−ｃ−１）。
【００３９】
一方、ステップＳ７００４にてＡＴＮとサーチポイントの一致が判定されると、ステップＳ７００５にて行き過ぎ量及び巻き戻し量の測定バッファを「０クリア」すると同時に、ステップＳ７００６にてテープ給送を停止（つまりは、キャプスタンモータを停止）する。
【００４０】
次いで、テープ停止後にキャプスタンＦＧ検出部４９にてキャプスタンＦＧが検出されなくなりが検出されなくなり、ステップＳ７００７にてテープ静止が判定されるまで、ステップＳ７００８にてキャプスタンＦＧを行き過ぎ量として計測する（６−ｃ−２）。
【００４１】
ステップＳ７００７にてテープ静止が判定されると、ステップＳ７００９に進みテープを逆１倍速で巻き戻し、ステップＳ７０１１にて逆１倍速で巻き戻し中に得られるキャプスタンＦＧを巻き戻し量として計測しながら、ステップＳ７０１０にて巻き戻し量が行き過ぎ量とほぼ一致（キャプスタンＦＧ３００発未満）したと判定するまで巻き戻しを実行、更にステップＳ７０１２で記録エリアが検出されるまで巻き戻しを継続する（６−ｃ−３）。
【００４２】
ステップＳ７０１１、ステップＳ７０１２にて行き過ぎ量と巻き戻し量がほぼ一致し、且つ記録エリアが検出されると、ステップＳ７０１３にてテープ給送を停止する。そして、ステップＳ７０１４にてサーチポイントの検索を再開し、サーチポイントとＡＴＮが一致するまでステップＳ７０１４ないしステップＳ７０１５にて正／逆コマ送りを実行し（６−ｃ−４）、エンドサーチを終了する（６−ｃ−５）。
【００４３】
一方、テープ位置が第２のポイント（２）にある場合、ステップＳ７００１にてサーチポイントが再生ＡＴＮよりも小さいと判定され、逆方向サーチを実行するステップＳ７１０２に進む。
【００４４】
ステップＳ７１０２では、現在得られるＡＴＮがサーチポイントよりも３００以上大きい判定され、ステップＳ７１０３にて逆ｘ９倍速でサーチを実行、ステップＳ７００４にてＡＴＮとサーチポイントの一致が判定されるまで、ステップＳ７１０４が繰り返し実行される（６−ｃ−６）。
【００４５】
一方、ステップＳ７１０４にてＡＴＮとサーチポイントの一致が判定されると、ステップＳ７１０５にて行き過ぎ量及び巻き戻し量の測定バッファを「０クリア」すると同時に、ステップＳ７１０６にてテープ給送を停止（つまりは、キャプスタンモータを停止）する。
【００４６】
次いで、テープ停止後にキャプスタンＦＧ検出部４９にてキャプスタンＦＧが検出されなくなりが検出されなくなり、ステップＳ７１０７にてテープ静止が判定されるまで、ステップＳ７１０８にてキャプスタンＦＧを行き過ぎ量として計測する（６−ｃ−７）。
【００４７】
ステップＳ７１０７にてテープ静止が判定されると、ステップＳ７１０９に進みテープをｘ１倍速で巻き戻し、ステップＳ７１１１にて正１倍速で巻き戻し中に得られるキャプスタンＦＧを巻き戻し量として計測しながら、ステップＳ７１１０にて巻き戻し量が行き過ぎ量とほぼ一致（キャプスタンＦＧ３００発未満）したと判定されるまで巻き戻しを実行、更にステップＳ７１１２で記録エリアが検出されるまで巻き戻しを継続する（６−ｃ−８）。
【００４８】
ステップＳ７１１１、Ｓ１１２にて行き過ぎ量と巻き戻し量がほぼ一致し、且つ記録エリアが検出されると、ステップＳ７１１３にてテープ給送を停止する。そして、ステップＳ７０１４にてサーチポイントの検索を再開し、サーチポイントとＡＴＮが一致するまでステップＳ７０１５ないしステップＳ７０１６にて正／逆コマ送りを実行し（６−ｃ−９）、エンドサーチを終了する（６−ｃ−１０）。
【００４９】
（第２の実施の形態）
前述した第１の実施の形態では、Ｒｅｃ終了時のＡＴＮをサーチポイントとして設定しＡＴＮサーチを実行する「エンドサーチ方式」の精度改善方法の提案を行ったが、このＡＴＮサーチを実行するサーチ方式としては、その他の適用例が存在しており、そこで本発明の第２の実施の形態では、ＡＴＮサーチの代表例でありテープ編集の基本操作となる「カットイン／カットアウト編集」を取り上げ、本発明の第１の実施の形態で提案したサーチ方式の精度改善の応用例を提案する。
【００５０】
図８は、本発明の第２の実施の形態を実現するための再生装置の要部を示すブロック図である。
本発明の第１の実施の形態ではその構成要素として、サーチポイントを設定するサーチポイント記憶部４４（図１中）が設けられていたが、第２の実施の形態の構成要素では、サーチポイントを設定する手段としてカットイン／カットアウトポイント設定部８１、さらにテープ編集を実現するためのカットアウトポイント検出部８２が設けられていて、画像情報を選択することで、任意の絶対番地を特定するようにしている。
【００５１】
このカットイン／カットアウトポイント設定部８１、カットアウトポイント検出部８２は従来の「カットイン／カットアウト編集」を実現する再生装置の構成要素であり、つまり本発明の第２の実施の形態は、本発明の第１の実施の形態として提案した第２のサーチ制御部１７の処理方式をそのまま適用することによって実現される。
【００５２】
カットイン／カットアウトポイント設定部８１、カットアウトポイント検出部８２の動作に関しては図９及び図１０のフローチャートを用いて説明する。
まず、カットイン／カットアウトポイント設定部８１は、編集カットの設定に先立ってステップＳ９１にて編集カットのシーン番号ｎを「０クリア」する。次いで、ステップＳ９２、ステップＳ９３にて操作者の編集カット設定操作に従ってカットインポイントＣｕｔ・Ｉｎ（ｎ）、カットアウトポイントＣｕｔ・Ｏｕｔ（ｎ）及びシーン番号ｎのインクリメントを行う。
【００５３】
編集カットの設定が完了するとステップＳ９４にて、シーン番号ｎをポイント数として設定、及びシーン番号ｎを「０クリア」した後、ステップＳ９５に進みカットイン／カットアウト編集を開始する。
【００５４】
カットイン／カットアウト編集は、まずステップＳ９５で、先に設定されたカットインポイントＣｕｔ・Ｉｎ（ｎ）をサーチポイントとして第２のサーチ制御部１７に出力する。第２のサーチ制御部１７の動作は本発明の第１の実施の形態で説明したとおりである。
【００５５】
ステップＳ９６にて第２のサーチ制御部の処理状態を監視、第２のサーチ制御部の処理完了が検出されると、ステップＳ９７にてカットアウトポイントＣｕｔＯｕｔ（ｎ）をカットアウトポイント検出部８２に出力するとともに、シーン番号ｎのインクリメントを行う。
【００５６】
ここで、カットアウトポイント検出部８２はステップＳ９１１にてカットアウトポイントが入力されるとステップＳ９１２に進み、ここで記録／再生制御部４２及びキャプスタン制御部４１０にテープ再生のための制御信号を出力する。
【００５７】
ステップＳ９１３ではＡＴＮ検出部４３ないしＡＴＦ予測部４６より得られるＡＴＮとカットアウトポイントを比較、ＡＴＮとカットアウトポイントが一致し、テープ位置がカットアウトポイントに到達したと判別されると、ステップＳ９１４に進み、記録／再生制御部４２及びキャプスタン制御部４１０にテープ再生を終了するための制御信号を出力し、処理を終了する。
【００５８】
再びカットイン／カットアウトポイント設定部８１の処理に戻る。
ステップＳ９７にてカットアウトポイントＣｕｔＯｕｔ（ｎ）を出力後、ステップＳ９８にてカットアウトポイント検出部８２の処理状態を監視、カットアウトポイント検出部８２の処理終了が検出されると、ステップＳ９９に進む。
【００５９】
ステップＳ９９では、ポイント数とシーン番号を比較、すべてのシーンの編集が完了し、シーン番号がポイント数と一致するまでステップＳ９５〜ステップＳ９９を繰り返し実行した後、カットイン／カットアウトポイント設定部８１の処理が終了する。
【００６０】
以上が「カットイン／カットアウト編集」の動作の説明であり、この編集動作に第２のサーチ制御部１７の処理方式をそのまま適用することによって、本第２の実施の形態の目的である「カットイン／カットアウト編集」の精度改善が達せられる。
【００６１】
（本発明に係る他の実施の形態）
前述した本発明の実施の形態における記録再生装置及び再生装置を構成する各手段、記録手段、再生手段、絶対番地記憶手段、目標位置サーチ手段、第１の巻き戻し手段、第２の巻き戻し手段、サーチ制御手段及び絶対番地選択手段は、コンピュータのＲＡＭやＲＯＭなどに記憶されたプログラムが動作することによって構成される。
【００６２】
また、記録再生方法、再生方法の各ステップ、すなわち、記録工程、再生工程、絶対番地記憶工程、目標位置サーチ工程、第１の巻き戻し工程、第２の巻き戻し工程、サーチ制御工程及び絶対番地選択工程は、コンピュータのＲＡＭやＲＯＭなどに記憶されたプログラムが動作することによって実現できる。このプログラム及び前記プログラムを記録したコンピュータ読み取り可能な記憶媒体は本発明に含まれる。
【００６３】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６４】
また、コンピュータが供給されたプログラムを実行することにより前述した実施の形態における各機能が実現されるだけでなく、そのプログラムがコンピュータにおいて稼働しているＯＳ（オペレーティングシステム）或いは他のアプリケーションソフト等と共同して前述した実施の形態の各機能が実現される場合や、供給されたプログラムの処理の全て或いは一部がコンピュータの機能拡張ボードや機能拡張ユニットにより行われて前述した実施の形態における各機能が実現される場合も、かかるプログラムは本発明に含まれる。
【図面の簡単な説明】
【００６５】
【図１】本発明の第１の実施の形態を実現するための再生装置の要部を示すブロック図である。
【図２】従来例におけるエンドサーチシーケンスの説明図である。
【図３】従来例における第１のサーチ制御部の動作を示すフローチャートである。
【図４】従来例を示し、再生装置の要部を示すブロック図である。
【図５】発明が解決しようとする課題を説明する図である。
【図６】本発明の第１の実施の形態おけるエンドサーチシーケンスの説明図である。
【図７】本発明の第１の実施の形態における第２のサーチ制御部の動作を示すフローチャートである。
【図８】本発明の第２の実施の形態を実現するための再生装置の要部を示すブロック図である。
【図９】本発明の第２の実施の形態におけるカットイン／カットアウトポイント設定部の動作を示すフローチャートである。
【図１０】本発明の第２の実施の形態におけるカットアウトポイント検出部の動作を示すフローチャートである。
【符号の説明】
【００６６】
１７  第２のサーチ制御部
４１  ヘッドアンプ部
４２  記録／再生制御部
４３  ＡＴＮ検出部
４４  サーチポイント記憶部
４５  リールＦＧ検出部
４６  ＡＴＮ予測部
４７  第１のサーチ制御部
４８  キャプスタンモータ
４９  キャプスタンＦＧ検出部
４１０  キャプスタン制御部である。
８１  カットイン／カットアウトポイント設定部
８２  カットアウトポイント検出部
【図１】
2006040350.tif 000003
【図２】
2006040350.tif 000004
【図３】
2006040350.tif 000005
【図４】
2006040350.tif 000006
【図５】
2006040350.tif 000007
【図６】
2006040350.tif 000008
【図７】
2006040350.tif 000009
【図８】
2006040350.tif 000010
【図９】
2006040350.tif 000011
【図１０】
2006040350.tif 000012